Podtech/llm-jp-corpus-v4-ja_patent huggingface dataset:
(57)【要約】【課題】本発明の、床ずれ防止パッド使用によって、快適な暮らしができ、良質な睡眠が取れることの提案である。【解決手段】その為に、安全、安心が得られるように、多機能性を考慮し、しかも安価に提供する。介護、看護、看病において負担を軽減する。使用後におけるの床ずれ防止パッドの廃棄処分によって、感染症、院内感染症を防ぎ、生分解を有し、有害物を排出せず環境問題を配慮したことを特徴とする。【特許請求の範囲】
【請求項１】
珪藻土焼成粒を素材に含む、寝具生地綿を備えてなる床ずれ防止パッド。
【請求項２】
請求項１の床ずれ防止パッドを、袋状の形状にしたことを特徴とする。
【請求項３】
請求項１の床ずれ防止パッドを、用途に合わせた形状にしたことを特徴とする。
【請求項４】
珪藻土焼成粒、多孔質の集合体等の素材を、  適した表生地に備え、請求項１から４に類した発明を、多目的、多様化に活用できることを特徴とする。
【発明の詳細な説明】
【技術分野】
【０００１】本発明は、長期間の寝たきりによって発症する床ずれ発生の防止、すでに発生している床ずれの保護、治癒に関する。
【背景技術】
【０００２】寝たきりによって発症する床ずれは、介護、看護、看病いかんによって発生防止ができると認識されている。それだけに、患者へのマッサージ、寝返りを数回繰り返し実施し発生防止に努力をしている。従来、ムートン、ウレタン、空気を入れたクッション，ドウナツ状に工夫された床ずれ防止パッド等が使用されている。
しかし、製造工程において設計、部材、型材と製作技術がかかり高額なものになっている。
【発明の開示】
【発明が解決しようとする課題】
【０００３】本発明は、上記、従来機能の身体重量緩和による患部の保護具にとどまらず、自分に合った好みの高さ、形状の自在を可能としたことにある。
快適な姿勢でもって、保温、保湿性，消臭、通気性、放熱性にも優れ、保熱効果、空気清浄効果メカニズムの天然素材の高温焼成セラミック珪藻土を取り入れたことを特徴とした適度な感触素材の床ずれ防止パッドである。
本素材は、安定供給の確保ができ、しかも製造コストが安価で、安全、安心を提供する。
【課題を解決するための手段】
【０００４】本発明は、従来、洗濯して何度も使用する高額な床ずれ防止パッドから、感染対策に優れた使い捨てに対応できる衛生重視の安価な、しかも廃棄処分においても有害物を排出せず、生分解を有する環境に優しい床ずれ防止パッドであり、環境保護に資するものである。
珪藻土焼成粒は、細孔の目詰まりは無く、孔の中に更に孔があり、天然素材の超微細、多孔を有している。
寝具生地の綿素材を使用し、サイズを任意にとれることから使用範囲が広まる。
床ずれ防止パッドの表、裏の両面使用を可能にしたことを特徴とした。
（効能）
吸湿性がよい。放熱性がよい。通気性がよい。弾力性があり寝心地がよい。汗を発散させ寝心地がよい。坊ダニ、抗菌、坊カビ作用がある。調湿、防湿、消臭効果がある。
（手入れ方法）
吸湿性に富んでいることから、こまめに日光乾燥をすることにより、快適に活用できる。
（特色）
両面使用ができる。
通気性がよく衛生的。
サイズ調整が自在可能。
（構造）
多孔質の集合体素材を１００パーセント使用した。
表生地は、綿１００パーセント使用で寝具に適している。
パッド使用なので用材の使用量によって、サイズ調整が可能。
睡眠時に保温性、保湿性が十分でないと、体内バランスが壊れ、体調不良、機能低下を招くおそれがある。
【発明の効果】
【０００５】本発明は、メッシュの整った粒状の体圧バランスを視野に入れた床ずれ防止パッドであり、寝ている間にパッドがしっくりなじみ、痛みを和らげる。
患部に汗、血、体液等により繁殖する細菌から、床ずれ発症を防ぎ、発症の予防をする。
よって、介護、看護、看病の負担軽減ができることを特徴とした。【０００６】本発明の床ずれ防止パッドは、汚れを洗濯して継続使用をすることなく、そのまま廃棄処分をすることにより感染症、院内感染を防ぐことができる。【０００７】本発明の、床ずれ防止パッドの取り扱い性が向上する。【０００８】保健衛生環境に貢献できる。
【発明を実施するための最良の形態】
【０００９】本発明は、床ずれの発症し易い箇所や患部に使用する事で、箇所や患部に体重が集中することなく、しっくり馴染み安定した状態を保つ事ができる。【００１０】本発明の、床ずれ防止パッドは、皮膚に直接ふれても違和感のない素材にしたことを特徴とする。【００１１】ベッドの使用時、車椅子の使用時においても床ずれ防止パッドを当てる事により、発生を防ぎ、床ずれの発症している床ずれの保護をすることを特徴とする。【００１２】床ずれ防止パッドは、患者の希望する箇所に使用することによって、患部に限らず心地よいすごし方ができることを特徴とする。【００１３】床ずれ防止パッドを、かける、敷くことができる仕様にしたことを特徴とする。
【産業上の利用可能性】
【００１４】本発明は、珪藻土の焼成粒を素材とし、その特性を活用した床ずれ防止パッドの開発である。
素材の特長は、木炭の数千倍という超多孔質でしかも超細孔を保持し、軽さは、かさ比重０，２４、気孔率９０パーセントと他の素材に類がなく、多孔性によって、吸湿性、放湿性に富み、消臭、空気清浄、保温効果があることから快適な睡眠を取ることができる。
(57)【要約】【課題】ペースメーカー埋め込み前の検査と、頻脈治療時の焼灼に用いることができるカテーテルであって、操作性に優れたカテーテルを提供する。【解決手段】先端部分に電極が設けられたチューブ１と、このチューブ１の先端部分にのみに挿通されたガイドワイヤー４とを備えた。チューブ１の先端部分にのみに挿通されたガイドワイヤー４を操作することにより、短時間でカテーテルを心臓内に挿入することができる。ガイドワイヤー４は、チューブ１に対してスライド可能に構成されている。ガイドワイヤー４をチューブ１に対してスライドさせることによって、チューブ１の導入をより容易にすることができる。【選択図】図１
2010051516.tif 000002
【特許請求の範囲】
【請求項１】
ペースメーカー埋め込み前の検査、又は頻脈治療時の焼灼に用いられるカテーテルであって、先端部分に電極が設けられたチューブと、このチューブの先端部分にのみに挿通されたガイドワイヤーとを備えたことを特徴とするカテーテル。
【請求項２】
前記ガイドワイヤーは、前記チューブに対してスライド可能に構成されていることを特徴とする請求項１記載のカテーテル。
【発明の詳細な説明】
【技術分野】
【０００１】
本発明は、ペースメーカー埋め込み前の検査、又は頻脈治療時の焼灼に用いられるカテーテルに関する。
【背景技術】
【０００２】
不整脈には、大きく分けて、脈が遅くなる徐脈と、脈が速くなる頻脈の２種類がある。徐脈の場合は、心臓内にカテーテルを挿入して検査し、その検査結果に適合したペースメーカーを埋め込むことにより治療される。頻脈の場合は、心臓内にカテーテルを挿入して脈が速くなっている部位を選定し、その選定部位をカテーテルの先端部分に設けられた電極を用いて焼灼することにより治療される。
【０００３】
このような検査と焼灼に用いられる従来のカテーテルは、図２に示すように、全長１０００ｍｍ、太さ１．０〜３．０ｍｍのプラスチック素材からなる断面が円形のチューブ１の先端部分に複数の電極２が形成されている。そして、チューブ１の内部には、チューブ１の全長にわたって図示しないガイドワイヤーが一体に設けられている。また、チューブ１の基端部分には、電極２と電気的に接続したコネクター３が設けられている。
【特許文献１】特開２００６−２６３０２７号公報
【発明の開示】
【発明が解決しようとする課題】
【０００４】
しかし、上記の従来のカテーテルは、カテーテルの電極２を検査部位又は焼灼部位に挿入する操作に熟練を要し、時間がかかるという問題があった。
【０００５】
そこで本発明は上記問題点に鑑み、ペースメーカー埋め込み前の検査と、頻脈治療時の焼灼に用いることができるカテーテルであって、操作性に優れたカテーテルを提供することを目的とする。
【課題を解決するための手段】
【０００６】
本発明のカテーテルは、ペースメーカー埋め込み前の検査、又は頻脈治療時の焼灼に用いられるカテーテルであって、先端部分に電極が設けられたチューブと、このチューブの先端部分にのみに挿通されたガイドワイヤーとを備えたことを特徴とする。
【０００７】
また、前記ガイドワイヤーは、前記チューブに対してスライド可能に構成されていることを特徴とする。
【発明の効果】
【０００８】
本発明のカテーテルによれば、チューブの先端部分にのみに挿通されたガイドワイヤーを操作することにより、短時間でカテーテルを心臓内に挿入することができる。
【発明を実施するための最良の形態】
【０００９】
以下、本発明のペースメーカー埋め込み前の検査、又は頻脈治療時の焼灼に用いられるカテーテルの一実施例について、添付した図面を参照しながら詳細に説明する。
【実施例１】
【００１０】
図１を参照しながら、本実施例のカテーテルについて説明する。
【００１１】
１は断面が円形で中空のチューブであり、全長１０００ｍｍ、太さ１．０〜３．０ｍｍのプラスチック素材からなる。チューブ１の先端部分には、複数の電極２が形成されている。一方、チューブ１の基端部分には、コネクター３が設けられており、電極２は、チューブ１内に設けられた図示しない接続線を介して、コネクター３と電気的に接続している。そして、電極２により検出された心臓内の電気信号は、コネクター３を介して検査装置（図示せず）に送られるようになっている。また、焼灼装置（図示せず）からの焼灼用の電力は、コネクター３を介して電極２に送られるようになっている。
【００１２】
また、チューブ１の先端部分には、ガイドワイヤー４が挿通されている。ガイドワイヤー４は、チューブ１の先端部分にのみ挿通されており、チューブ１に対してスライド可能になっており、ガイドワイヤー４の先端部分はチューブ１の先端から突出している。
【００１３】
以上の構成において、カテーテルを体内に入れるときは、ガイドワイヤー４を操作しながら、チューブ１の先端部分を導入することで、短時間でカテーテルを心臓内の目的部位に挿入することができる。このとき、ガイドワイヤー４をチューブ１に対してスライドさせることによって、チューブ１の導入をより容易にすることができる。本実施例のカテーテルは、心臓内でも特に細い部位である冠状静脈洞（ＣＳ）において好適に用いられる。
【００１４】
以上のように、本実施例のカテーテルは、ペースメーカー埋め込み前の検査、又は頻脈治療時の焼灼に用いられるカテーテルであって、先端部分に電極が設けられたチューブ１と、このチューブ１の先端部分にのみに挿通されたガイドワイヤー４とを備えている。したがって、チューブ１の先端部分にのみに挿通されたガイドワイヤー４を操作することにより、短時間でカテーテルを心臓内に挿入することができる。
【００１５】
また、前記ガイドワイヤー４は、前記チューブ１に対してスライド可能に構成されている。したがって、ガイドワイヤー４をチューブ１に対してスライドさせることによって、チューブ１の導入をより容易にすることができる。
【００１６】
なお、本発明は上記実施例に限定されるものではなく、本発明の要旨の範囲内において種々の変形実施が可能である。
【図面の簡単な説明】
【００１７】
【図１】本実施例のカテーテルの構成を示す全体図である。
【図２】従来のカテーテルの構成を示す全体図である。
【符号の説明】
【００１８】
１  チューブ
４  ガイドワイヤー
【図１】
2010051516.tif 000003
【図２】
2010051516.tif 000004
(57)【要約】【課題】本発明は、非使用時の景観を考慮した非常用のトイレを提案するものである。【解決手段】本発明は、接続する防水ゴムシートの端末重ね合わせ部に熱融着生接着剤フィルムを挟んで熱融着するゴムシートの接着方法において、内部に加熱線を配列した熱融着生接着剤フィルムを挟み、電流を流すことにより熱融着生接着剤フィルムを加熱してゴムシート間を接着する防水ゴムシートの接着方法である。防水ゴムシートの接着部に挿入した熱融着生接着剤フィルムを均一に加熱させ均一な接着面を得るため熱融着生接着剤フィルムの内部に加熱線を配設した。【選択図】図1
2010240947.tif 000002
【特許請求の範囲】
【請求項１】
接続する防水ゴムシートの端末重ね合わせ部に熱融着生接着剤フィルムを挟んで熱融着するゴムシートの接着方法において、内部に加熱線を配列した熱融着生接着剤フィルムを挟み、電流を流すことにより熱融着生接着剤フィルムを加熱してゴムシート間を接着する防水ゴムシートの接着方法。
【発明の詳細な説明】
【技術分野】
【０００１】
本発明は、防水ゴムシートの接着技術に属する。
【背景技術】
【０００２】
シート防水は耐候性・耐水性に優れ、施工が簡単迅速にできることから、広く実用に共されている。このシート防水に使用されるゴムシートあるいはプラスチックシートは工場で一定の長さ幅で生産される。
一般に、施工する貯留槽、産業廃棄物処理場などで使用する場合は、工場で生産されたシートを現場で必要な広さ長さとなるまで、シートの端末同士を重ね合わせ、その重ね合わせた部分を、接着剤を介して接続する。
この時、貯留槽あるいは産業廃棄物処理場において接続部を完全に接着し、漏れの生じないことが要求される。
【０００３】
従来の防水ゴムシートの接着方法は、重ね合わせ部分に液状自然加硫ゴム接着剤を塗布し、自然加硫硬化するまで所定時間合わせ面の両側から圧着する。あるいは特開2000-186973に開示されているように、接着面に熱融着性接着剤を挟んでブロアーで過熱して熱融着する方法が開示されている。
しかしながら上記方法では、人手で液状自然加硫ゴム接着剤を塗布したり、あるいはブロアーなどで人手により加熱接着するため必ずしも接着方向に沿って均一な接着面が得られず、均一な接着を得るには経験を要するものであった。
【先行技術文献】
【特許文献】
【０００４】
【特許文献１】特開2000-186973
【発明の開示】
【発明が解決しようとする課題】
【０００５】
本発明は、防水ゴムシートの均一な接着面を得るための手段を提案するものである。
【課題を解決するための手段】
【０００６】
本発明は、接続する防水ゴムシートの端末重ね合わせ部に熱融着生接着剤フィルムを挟んで熱融着するゴムシートの接着方法において、内部に加熱線を配列した熱融着生接着剤フィルムを挟み、電流を流すことにより熱融着生接着剤フィルムを加熱してゴムシート間を接着する防水ゴムシートの接着方法である。
防水ゴムシートの接着部に挿入した熱融着生接着剤フィルムを均一に溶融させ均一な接着面を得るため熱融着生接着剤フィルムの内部に加熱線を配設した。
【発明の効果】
【０００７】
本発明は、接着する防水ゴムシートの接着面に挿入する熱融着生接着剤フィルムの内部に加熱線を配設し、電気を流すことで加熱し溶融させるため、熱融着生接着剤フィルムが均一に加熱され、均一なむらの無い接着が得られるため、漏水をきたす接着不良を防止できる。
【図面の簡単な説明】
【０００８】
【図１】本発明の防水ゴムシートの接着方法を示す疑念図である。
【図２】熱融着生接着剤フィルムの概念図である。
【図３】従来の防水ゴムシートの接着方法を示す疑念図である。
【発明を実施するための形態】
【０００９】
以下、本発明を図により詳細に説明する。
図1は、本発明の防水ゴムシートの接着方法を示す断面図である。接着する2枚の防水シートの端面に熱溶融性接着剤フィルムを挟んだ状態を示している。
【００１０】
図２は、本防水ゴムシートの接着方法に使用する熱溶融性接着剤フィルムを示している。図に示したように本フィルムはその内部に加熱線が封入され、均一に過熱されるよう等間隔に配列されている。
【００１１】
図１の状態で軽く接続部を抑えながら加熱線に電流を流し、2枚の防水ゴムシートを接着させる。
【００１２】
本発明において、使用する熱融着性接着剤フィルムとしてはポリオレフィン系熱融着性接着剤フィルムであることが好ましい。
一枚の熱融着生接着剤フィルム上に加熱線、例えばニクロム線を配列し、さらにもう一枚の熱融着生接着剤フィルムを重ね加熱圧着することで本発明に使用する加熱線が封入された熱溶融性接着剤フィルムが得られる。
【産業上の利用可能性】
【００１３】
貯留槽の防水、産業廃棄物施設の漏水防止に使用可能である。
【符号の説明】
【００１４】
１  防水ゴムシート
２  熱融着性接着剤フィルム
３  加熱線
４  従来の熱融着性接着剤フィルム  
５  ブロアー
【図１】
2010240947.tif 000003
【図２】
2010240947.tif 000004
【図３】
2010240947.tif 000005
(57)【要約】【課題】鼻とマスクの間の隙間を無くすと共に、良好なフィット感を与え、花粉等の塵埃の侵入を効果的に阻止する。【解決手段】織布や不織布を用いて作られたマスク本体の裏面の上縁部近傍に付着して使用するノーズアダプタにおいて、前記ノーズアダプタが、室温硬化性弾性材料を、マスクを使用する人の鼻に押し付け、前記鼻と当接する部分の形状を形成した。【選択図】図１
2010240084.tif 000002
【特許請求の範囲】
【請求項１】
織布や不織布を用いて作られたマスク本体（１）の裏面の上縁部近傍に付着して使用するノーズアダプタ（２）において、前記ノーズアダプタ（２）が、室温硬化性弾性材料（３）を、マスクを使用する人の鼻（４）に押し付け、前記鼻（４）と当接する部分（２１）の形状を形成したことを特徴とするノーズアダプタ。
【請求項２】
前記室温硬化性弾性材料（３）が、室温硬化性シリコーンエラストマーであることを特徴とする請求項１記載のノーズアダプタ。
【請求項３】
前記室温硬化性シリコーンエラストマーがシリコーン印象材であることを特徴とする請求項２記載のノーズアダプタ。
【発明の詳細な説明】
【技術分野】
【０００１】
本発明は、ノーズアダプタに係り、更に詳しくは、本発明は、マスクと鼻との間の機密性を改良して、人の鼻や口に花粉や粉塵が侵入するのを防止して花粉症の予防をするためのノーズアダプタに関する。
【背景技術】
【０００２】
これまで、花粉症の対策として多くのマスクが販売されているが、これらマスクの素材の花粉捕集率は高く、材質による花粉の捕集率には各社大きな差がなくなってきている。このため、花粉症用マスクの対策は、形状をいかに顔にフィットさせるかが問題となっている。
【０００３】
特に、鼻とマスクの間には隙間が発生し易く、この部分の隙間を埋めることが花粉捕集率に大きな影響与えている。
このため既存のマスクは、鼻周りにワイヤーを入れ、可能な限り鼻の形に合わせた形状で使用する方法や、マスクにスポンジやゴム材からなるノーズアダプタを貼り付け、鼻とマスクの隙間を埋めた製品が販売されている。
しかし、ワイヤーを使用した製品では、鼻との密着性に欠け、気密性に劣る問題があった。
【０００４】
また、従来のスポンジからなるノーズアダプタを使用したマスクは、密着性を高める為に、マスクを強く顔に押付けなければならなかった。
このため、使用時に圧迫感を受け、使用状態において不快を感ずる問題を惹起した。
【先行技術文献】
【特許文献】
【０００５】
【特許文献１】特開２００６−３３０４９号公報
【特許文献２】実用新案登録第３１１２２１８号公報
【発明の概要】
【発明が解決しようとする課題】
【０００６】
このようなノーズアダプタは、鼻とマスクの間の隙間を無くすと共に、良好なフィット感を与え、花粉等の塵埃の侵入を効果的に阻止することを目的としている。
【課題を解決するための手段】
【０００７】
本発明のノーズアダプタは、織布や不織布を用いて作られたマスク本体の裏面の上縁部近傍に付着して使用するノーズアダプタにおいて、前記ノーズアダプタが、室温硬化性弾性材料を、マスクを使用する人の鼻に押し付け、前記鼻と当接する部分の形状を形成したことを特徴とする。
【発明の効果】
【０００８】
本発明は、以下に記載されるような効果を奏する。
請求項１記載の発明のノーズアダプタによれば、鼻とマスクの間の隙間を無くすと共に、良好なフィット感を与え、花粉等の塵埃の侵入を効果的に阻止することが出来る。
また、請求項２記載の発明のノーズアダプタによれば、使用する人の鼻形状にフィットするノーズアダプタを、容易に提供することが出来る。
更に、請求項３記載の発明のノーズアダプタによれば、人体への害を最小限に抑えることが出来る。
【図面の簡単な説明】
【０００９】
【図１】本発明に係るノーズアダプタをマスクに取付けた状態の斜視図である。
【図２】本発明に係るノーズアダプタを製作するための第１段階の図である。
【図３】本発明に係るノーズアダプタを製作するための第２段階の図である。
【発明を実施するための形態】
【００１０】
以下、本発明を実施するための最良の形態について説明する。
図１乃至図３に基づき発明を実施するための形態について説明する。
【００１１】
図１は、本発明に係るノーズアダプタ２をマスク本体１に取付けた態様を示す斜視図である。
本発明に係るノーズアダプタ２は、図２及び図３に示す工程により製作される。
まず、図２に示す様に、内面５１がマスク本体１の曲率に合わせた弾性材料を保持する為の保持型５上に、室温硬化性弾性材料３を適当量載せる。
【００１２】
ついで、図３に示す様に、マスクを使用する人の鼻４を、室温硬化性弾性材料３に押し付け、室温硬化性弾性材料３が硬化するまで、この状態を維持する。
この室温硬化性弾性材料３が硬化した後、鼻４を室温硬化性弾性材料３から離し、ついで、室温硬化性弾性材料３を保持型５から離型することにより、鼻４と当接する部分２１の形状を備えたノーズアダプタ２を形成することが出来る。
【００１３】
この様に製作されたノーズアダプタ２のマスク本体１と接する側に、両面接着剤等を取付けることにより、ノーズアダプタ２をマスク本体１に取付けることが出来る。
この結果、ノーズアダプタ２は使用する人の鼻４の形状に完全に密着するため、鼻とマスクの間には隙間が発生しない。
【００１４】
本発明に使用される室温硬化性弾性材料３としては、室温硬化性シリコーンエラストマーが好適に用いられる。
その中でも、市販のシリコーン印象材が人体への害が少ないことから特に好ましい。
【００１５】
また、本発明は上述の発明を実施するための最良の形態に限らず本発明の要旨を逸脱することなくその他種々の構成を採り得ることはもちろんである。
【符号の説明】
【００１６】
１  マスク本体
２  ノーズアダプタ
３  室温硬化性弾性材料
４  鼻
５  保持型
【図１】
2010240084.tif 000003
【図２】
2010240084.tif 000004
【図３】
2010240084.tif 000005
(57)【要約】【課題】簡易な構成で簡単に打席台を傾斜させられるゴルフ練習台を提供する。【解決手段】平板状のゴルフ用打席台１を、液体Ｌの収容量によって膨縮変形可能な複数の液体収容バッグ３、3a…上に支持し、各液体収容バッグ３、3a…は液体Ｌが液体収容バッグ３、3a…相互間のみを流動する様にコック４、4a…を介して連通接続する。【選択図】図２
2010240082.tif 000002
【特許請求の範囲】
【請求項１】
平板状のゴルフ用打席台を、液体の収容量によって膨縮変形可能な複数の液体収容バッグ上に支持し、各液体収容バッグは液体が液体収容バッグ相互間のみを流動する様にコックを介して連通接続したことを特徴とするゴルフ練習台。
【発明の詳細な説明】
【技術分野】
【０００１】
本発明は、ゴルフ場での傾斜を想定して打撃練習できる様に足場を前後左右の全方向に傾斜させられるゴルフ練習台に関する。
【背景技術】
【０００２】
従来、特許文献１には、この種の傾斜角度を自由に変更できるゴルフ練習台が開示されている。
このゴルフ練習台は、平板状のゴルフ用打席台を３個以上の圧力媒体として液体を用いたベローズ式の昇降機構によって連結し、各昇降機構は、液体供給装置から液体をベローズへ給排することでこれらを伸縮させ、各ベローズの高さ位置を調整することにより前記打席台を適宜勾配を以て傾斜させる。
【先行技術文献】
【特許文献】
【０００３】
【特許文献１】特開平５−２５３３２５号公報
【発明の概要】
【発明が解決しようとする課題】
【０００４】
しかしながら、上記構成のゴルフ練習台は、各ベローズ毎に液体供給装置を必要とするため、練習台全体が大掛かりとなる課題を有していた。
そこで、本発明は簡易な構成で簡単に打席台を傾斜させられるゴルフ練習台を提供することを目的としている。
【課題を解決するための手段】
【０００５】
上記課題に鑑み、本発明のゴルフ練習台は、平板状のゴルフ用打席台を、液体の収容量によって膨縮変形可能な複数の液体収容バッグ上に支持し、各液体収容バッグは液体が液体収容バッグ相互間のみを流動する様にコックを介して連通接続したことを特徴とする。
【発明の効果】
【０００６】
要するに本発明は、上記構成から成るので、ゴルフ用打席台の適所を押圧し、該打席台を支えている各液体収容バッグ内の液体を相互に流動させ、各液体収容バッグの液体収容量を調整し、その収容量に応じ各液体収容バッグを膨張変形又は収縮変形させることにより、打席台を所望する勾配に傾斜させ、各液体収容バッグ間のコックを閉じることで、液体の各液体収容バッグ相互間の流動を阻止し、打席台の傾斜状態を保持できる。
よって、本発明によれば、従来の様な液体供給装置を必要とせず、上記の様に簡易な構成から成るので、設置も簡単であり、単に打席台を押圧してコックによる各液体収容バッグ同士間の液体流路を開閉するだけで打席台を所望する傾斜状態へ簡単に変化させられ、傾斜した打席台上で手軽に打撃練習できる等その実用的効果甚だ大である。
【図面の簡単な説明】
【０００７】
【図１】ゴルフ練習台の平面図である。
【図２】図１のＡ−Ａ断面図である。
【図３】傾斜状態の一例を示す断面図である。
【発明を実施するための形態】
【０００８】
以下本発明の実施の一形態例を図面に基づいて説明する。
本発明に係るゴルフ練習台は、方形平板状のゴルフ用打席台１と、該打席台１を水平又は所望の傾斜状態に支持する傾動装置２とから構成される。
【０００９】
打席台１は、所定の大きさと肉厚を有する合板、剛性を有する軽量な合成樹脂板や金属板から成り、本実施例では方形状に形成したものを示しているが、その形状は円形やその他の多角形に形成しても良い。
尚、打席台１の上面には、図示しない人工芝やゴムマット等を敷設しても良い。
【００１０】
傾動装置２は、水や油等の液体Ｌの収容量によって膨縮変形可能な複数の同形な液体収容バッグ３、3a…と、該液体収容バッグ３、3a…内の液体Ｌが液体収容バッグ３、3a…相互間のみを流動する様に液体収容バッグ３、3a…同士を連通接続したコック４、4a…を有する連通管５、5a…とから成る。
液体収容バッグ３、3a…は、柔軟性を有する合成樹脂や合成ゴム製にして所定形状の袋体から成り、本実施例ではタイヤのゴムチューブを利用している。
液体収容バッグ３、3a…の個数は、打席台１の大きさと、これを支持する液体収容バッグ３、3a…の大きさ及び形状等に応じて適宜に設定されるが、少なくとも平板状の打席台１を安定して支持できる３個以上が望ましい。
本実施例では、設置面GL上の四方に配置した液体収容バッグ３、3a…上部に打席台１を固着している（図１参照）。
【００１１】
連通管５、5a…は、軟質塩化ビニルホース、ポリエチレンホース、ゴムホース、鋼管などから成り、その基端を液体収容バッグ３、3a…の夫々に連通接続し、連通管５、5a…の先端を相互に接続することにより、液体Ｌが液体収容バッグ３、3a…同士間を相互に流通する様に成している。
尚、図１には、連通管５、5a…の一配管例を示し、打席台１の一側縁外方に各コック４、4a…が並列する様に各連通管５、5a…の長さや配置を調整してこれらを相互に連通接続している。
【００１２】
傾動装置２において、各液体収容バッグ３、3a…は連通管５、5a…を介して相互に連通した密閉空間を構成しており、かかる密閉空間内で液体Ｌを流動させることにより、液体収容バッグ３、3a…夫々の液体Ｌの収容量を変更し、その収容量に応じて各液体収容バッグ３、3a…を膨出変形或いは収縮変形させると共に、液体収容バッグ３、3a…の夫々に高低差を生じさせ、打席台１を所望の勾配に傾斜させる。
よって、液体収容バッグ３、3a…同士間を流動させるための液体量は、上記密閉空間全体を満たす必要はなく、本実施例では図２に示す打席台１の水平状態で各液体収容バッグ３、3a…にその容量の半分程度を注入する様に設定している。
【００１３】
上記の様に構成されたゴルフ練習台にあっては、先ずコック４、4a…を開いて各液体収容バッグ３、3a…内の液体Ｌを各連通管５、5a…を介して相互に流動可能にする。
そして、打席台１の適所を押圧することにより、各液体収容バッグ３、3a…内に圧力差を生じさせ、液体収容バッグ３、3a…内の液体Ｌを相互に流動させる。
液体Ｌの流動は、連通管５、5a…を通して成されるので、各液体収容バッグ３、3a…間の液体授受は急激ではなく、内圧の高い液体収容バッグ３、3a…から連通管５、5a…を介して内圧の低い液体収容バッグ３、3a…へ緩やかに流動し、各液体収容バッグ３、3a…には上記押圧によって生じさせた内圧に応じた液体Ｌが分配される。
【００１４】
すると、各液体収容バッグ３、3a…は液体Ｌの収容量に応じ膨張変形又は収縮変形して高低差を生ずることになり、これにより打席台１を所望する勾配に傾斜させられる。
次いで、各液体収容バッグ３、3a…毎に配したコック４、4a…を閉じ、液体Ｌの各液体収容バッグ３、3a…相互間の流動を阻止し、打席台１の傾斜状態を保持する。
そして、かかる傾斜状態の打席台１上で打撃練習が成される。
【符号の説明】
【００１５】
１        ゴルフ用打席台
３、3a…  液体収容バッグ
４、4a…  コック
Ｌ        液体
【図１】
2010240082.tif 000003
【図２】
2010240082.tif 000004
【図３】
2010240082.tif 000005
(57)【要約】      （修正有）【課題】手首に対しスムーズで効率的な回転運動与えることができる運道具の提供。【解決手段】ａの上部部材である半緩球体部とｂの下部部材である反球体部がｃの接着面で一体的な構造で形成され中心線において左右対称構造である手首回転運道具。ａの上部部材である半緩球体部の上面に手の平を接着し手首を回転運動させることによりｂの下部部材である反球体部面が床面に対しその場で均一的な接着回転が行えるため手首の効率的な回転運動の効果を発揮することができる。【選択図】図１
2010240192.tif 000002
【特許請求の範囲】
【請求項１】
上部部材である半緩球体部の下部切り口面と下部部材である半球体部の上部切り口面とを接着し一体的形成加工したものでありその構造は本体中心線に基づき左右対称構造になっているため回転運動時において下部部材である半球面体部面と床面とが均一な接着運動をするため使用時の手首の負担もなくスムーズで、効率の良い手首の回転運動がすることができる手首回転運動具。
【請求項２】
本運動具の絵付けにより視覚的効果を高めることにより、よりスムーズで効率的効果をはかることができるという請求項１の手首回転運動具。
【発明の詳細な説明】
【技術分野】
【０００１】
本考案は、手首の回転運動するために上部の半緩球体下部切り口面と下部の半球体上部の切り口面とを接着一体形成したものである。
【背景技術】
【０００２】
従来のものの場合、構造が複雑であり手首に固定させて反動具等を取り付けて使用するため手首を前後に動かす運動を容易にすることが困難であった。
【発明の開示】
【発明が解決しようとする課題】
【０００３】
容易に手首を運動させるために、本考案の形状は球体に近い構造をしているため回転運動においては上部部材である半緩球体の上面に手の平を接着させて手首をその場で大きく回転させて手首を運動させるため器具による手首の強制的な付加を無くし容易な使用を可能にしている。
【課題を解決するための手段】
【０００４】
本発明は、手首を回転運動させるために上部部材である半緩球体部と下部部材である下部球面体との一体的構造をしているため使用時において容易に使用でき従来のものでは構造的に複雑であり反動具等が付着されているため手首に付加かかり手首の負担が大きくなるが、本発明は構造的に単純であり左右対称な構造になっているため下部球体部の最下部面の一点で床面に接着することができるため回転運動を行うと下部部材の半球体部面がまんべんなく床面と接着するため手首の負担はなく効率の良い手首の回転運動が可能なため負担のかかる手首の運動行為の問題点を解決するものである。
【発明の効果】
【０００５】
本発明は、球体に近い形状で左右対称構造としたのは、使用時において手首の負担なくスムーズな回転運動を可能にするためであり、従来のような手首の前後の単純な動きでは運動効果は小さく、上部部材である半緩球体部面に手の平を接着し手首を回転させるだけであり、下部部材である半球体部面の滑らかな回転により、無駄な移動をなくして一点で回転運動が可能となり、より効率的に手首を回転させることができるため長時間の使用も可能で腕全体の疲れも緩和するという効果があり、また本発明本体に絵付けすることにより頭部を撫でる感覚で手首を回転させることにより、より効果的な手首の運動を可能にしている手首回転運動具である。
【図面の簡単な説明】
【０００６】
【図１】本運動具の斜視図。
【図２】本運動具の使用状態を示す斜視図。
【図３】本運動具の使用状態を示す斜視図。
【図４】本運動具の使用状態を示す斜視図。
【図５】本運動具の絵付け図女子。
【図６】本運動具の絵付け図男子。
【発明を実施するための形態】
【０００７】
以下、本発明の実施の形態を図１〜図６に基づいて説明する。
【０００８】
図1は斜視図でありａは上部部材である半緩球体部、ｂは下部部材である半球体部であり、ｃは接着面部を示している。次に使用状態を示す参考図で図２、図３、図４のように上部部材の半緩球体部に手の平を接着させ手首を回転させる使用状態を示している。また参考図においては本運動具の絵付け図であり図５は女子、図６男子を示している。
【符号の説明】
【０００９】
ａ  上部部材である半緩球体部        
ｂ  下部部材である半球体部            
ｃ  接着面
d  手
【図１】
2010240192.tif 000003
【図２】
2010240192.tif 000004
【図３】
2010240192.tif 000005
【図４】
2010240192.tif 000006
【図５】
2010240192.tif 000007
【図６】
2010240192.tif 000008
(57)【要約】【課題】    今まであるパズルは単純で面白くない【解決手段】今回申請の６つのコマの収納時の形が３：２の割合になる長方形のパズルの切り込み角度により、今までのパズルと違い多くの造形を作ることが出来、子供達の発想や痴呆防止、脳の活性のリハビリにも有効である。【選択図】  図１
2010240183.tif 000002
【特許請求の範囲】
【請求項１】
同じ角度と長さを有する二等辺三角形のコマ１を３個、コマ1ａ、コマ１ｂ、コマ１ｃと、上辺と底辺の長さが違うが同じ角度をもつ台形コマ２とコマ３と、平行な２辺が２箇所あり、５つの角度４５°、１３５°、４５°、２７０°、４５°を有する５辺形のコマ４の６個からなり、各辺密着させ、収納したときの形状が３：２の割合になることを特徴とするパズル。
【請求項２】
上記６コマを２倍の１２コマとしたことを特徴とする請求項１に記載のパズル。
【請求項３】
１セット内に組合の完成図を内包していることを特徴とする請求項１及び請求項２に記載のパズル。
【発明の詳細な説明】
【技術分野】
【０００１】
複数のコマを組み合わせて遊ぶパズルに関するものである。
【背景技術】
【０００２】
従来のパズルはコマ数が少ないので出来上がる造形も少ない。
【先行技術文献】
【特許文献】
【０００３】
【特許文献１】実用新案登録第２５８３９７２号
【発明の概要】
【発明が解決しようとする課題】
【０００４】
今まであるパズルは単純で面白くない
【課題を解決するための手段】
【０００５】
同じ角度と長さを有する二等辺三角形３個、コマ1ａ、コマ１ｂ、コマ１ｃと、上辺と底辺の長さが違うが同じ角度をもつ台形コマ２とコマ３と、平行な２辺が２箇所あり、５つの角度４５°、１３５°、４５°、２７０°、４５°を有する５辺形の長形コマ１の６コマからなり、各辺密着させ、収納したときの形状が３：２の割合になる長形のパズル。
【０００６】
６コマを２倍の１２コマで１セットとする。
【発明の効果】
【０００７】
６コマ各辺を密着させ、収納したときの形状が３：２の割合になる長形のパズルを２倍
にして１２コマで１セットとすれば、たくさんの造形が出来発想力を養い脳の老化を防ぐ
ことが出来る。
【０００８】
６コマに１コマ加えて７コマ、２コマ加えて８コマ、３コマ加えて９コマ、４コマ加えて１０コマ、５コマ加えて１１コマでも遊ぶことが出来る。
【図面の簡単な説明】
【０００９】
【図１】図１は、本発明のコマ6個の斜視図である。
【図２】図２は、本発明のコマ6個の平面図である。
【図３】図３は、本発明のコマ6個を重ねた状態の背面図である。
【図４】図４は、本発明のコマ6個を重ねた状態の右側面図である。
【図５】図５は、本発明のコマ6個を重ねた状態の正面図である。
【図６】図６は、本発明のコマ6個を重ねた状態の左側面図である。
【図７】図７は、本発明の6コマを使用した組み合わせ例の平面図である。
【図８】図８は、本発明の12コマを使用した組み合わせ例の平面図である。
【図９】図９は、本発明の12コマから減数して7コマでの組み合わせ例の平面図である。
【図１０】図１０は、本発明の12コマから減数して８コマでの組み合わせ例の平面図である。
【図１１】図１１は、本発明の12コマから減数して９コマでの組み合わせ例の平面図である。
【図１２】図１２は、本発明の12コマから減数して１０コマでの組み合わせ例の平面図である。
【図１３】図１３は、本発明の12コマから減数して１１コマでの組み合わせ例の平面図である。
【発明を実施するための形態】
【００１０】
図1に示す同じ角度と長さを有する二等辺三角形のコマ１を３個、コマ1ａ、コマ１ｂ、コマ１ｃと、上辺と底辺の長さが違うが同じ角度をもつ台形コマ２とコマ３と、平行な２辺が２箇所あり、５つの角度４５°、１３５°、４５°、２７０°、４５°を有する５辺形のコマ４の６個からなり、各辺密着させ、収納したときの形状が３：２の割合になる長形のパズル。
図1の６コマを２倍の１２コマで１セットとする。
【図１】
2010240183.tif 000003
【図２】
2010240183.tif 000004
【図３】
2010240183.tif 000005
【図４】
2010240183.tif 000006
【図５】
2010240183.tif 000007
【図６】
2010240183.tif 000008
【図７】
2010240183.tif 000009
【図８】
2010240183.tif 000010
【図９】
2010240183.tif 000011
【図１０】
2010240183.tif 000012
【図１１】
2010240183.tif 000013
【図１２】
2010240183.tif 000014
【図１３】
2010240183.tif 000015
【手続補正書】
【提出日】平成21年5月26日(2009.5.26)
【手続補正１】
【補正対象書類名】図面
【補正対象項目名】図８
【補正方法】変更
【補正の内容】
【図８】
2010240183.tif 000016
(57)【要約】      （修正有）【課題】歩行能力の改善を目的とした筋力トレーニング機器の開発を行う。【解決手段】筋力トレーニング機器の一つとしてレッグプレスはよく知られている。しかし，その運動方向は単一平面上（矢状面）のみの運動となっており，リハビリテーションの治療，特に歩行能力の改善を期待する場合，脚伸展運動に加え，股関節の回旋運動を加味した三次元上での運動（らせん運動）が極めて重要となる。そこで，従来のレッグプレス機器に新たに下肢スライド機能と下肢回転運動機能を付加し，脚伸展しながら，股関節の外転運動と内旋運動を同時に行うシステムを構築した。これにより，実際の歩行動作に近い状態で下肢の筋力トレーニングが可能となり，歩容の改善に有効な結果が得られる。【選択図】なし【特許請求の範囲】
【請求項１】
レッグプレスの足乗せ部に足部スライド機能及び回転機能を付加した筋力トレ
ーニング機器
【発明の詳細な説明】
【技術分野】
【０００１】
本発明は，筋力向上を目的としたレジスタンストレーニング機器の一つ
であるレッグプレスの足乗せ部に足部スライド機能及び回転機能を付加し，従来のリハビ
リテーションの治療効果（特に歩容の改善），あるいはスポーツ領域のパフォーマンス向
上に優れたトレーニング効果が期待できる機器に関するものである．
【背景技術】
【０００２】
従来，閉運動連鎖（closed kinetic chain）で脚伸展運動を重視した筋
力トレーニング機器の一つとしてレッグプレスはよく知られている．
【０００３】
その中で，特開2003-574において開示される装置は，使用者が脚を伸展
する力を自動的に制御（負荷が予め設定した一定の力になるよう制御）するものである．
【０００４】
また，特開2008-29566において開示される装置は，調整可能なロボット
アームの関節駆動源トルク制御システムにより，使用者に一定のトレーニング負荷を与え
るものである．
【先行技術文献】
【特許文献】
【０００５】
【特許文献１】特開2003-574
【特許文献２】特開2008-29566
【発明の概要】
【発明が解決しようとする課題】
【０００６】
上記第１の従来例，第２の従来例ともに，運動負荷においては詳細な
設定がなされているが，運動方向は単一平面上（矢状面）のみの運動となっている．しか
し，リハビリテーションの治療，特に歩行能力の改善を期待する場合，脚伸展運動に加え
，股関節の回旋運動を加味した三次元上での運動（らせん運動）が極めて重要となる．す
なわち，従来の筋力トレーニング機器においては，脚伸展運動という運動様式自体が，日
常生活動作（歩行動作）を十分反映した運動様式ではないという欠点があった．
【課題を解決するための手段】
【０００７】
請求項１記載のトレーニング機器の全体構成は次のようにする．まず，
多関節運動機器（脚伸展運動機器）のベースは油圧式のサーキットトレーニングマシン（
KAWAI社製：レッグプレスYU-3005）を使用した．本発明では当該機器の足乗せ部分の上に
新規に下肢スライド機能と下肢回転運動機能を付加したアルミ合金製の足部開閉板（77cm
×32cm）を取り付けた．運動の内容は座位にて脚伸展しながら，股関節の外転運動と内旋
運動を同時に行うシステムである．
【０００８】
次に足部開閉板の下肢スライド機能については，足部開閉板上に足乗せ
部分（14cm×30cm）を2つ（右用，左用）作成し，脚伸展しながら股関節外転が行えるよ
うリニアガイドを取り付ける．また，同部には抵抗バネ（開時100N，閉時30N）を取り付
けた．さらに足乗せ部の急激な運動（最大外転時の抵抗バネの弾性力を考慮）を防止する
ためエアシリンダによる安全装置も付加した．
【０００９】
さらに，下肢回転運動機能については，足乗せ部分と足部開閉板との間には，ア
ンギュラベアリングを取り付け，足乗せ部が自由に回転運動出来るようにした．これによ
り股関節の内旋及び外旋運動が可能となる．
【発明の効果】
【００１０】
本発明のトレーニング機器を使用することで，歩行能力の低下を来した
使用者の歩容を効率よく改善することができ，新たなリハビリテーション治療機器として
の期待が持てる．
【図面の簡単な説明】
【００１１】
【図１】歩行能力の改善を目的とした筋力トレーニング機器の外観を示す．
【図２】足部開閉板の下肢スライド機能及び下肢回転機能を示す．
【図３】本発明部分の図面を示す．
【発明を実施するための形態】
【００１２】
本発明の目的と特長は，以下の説明から直ちに明らかになるであろう．
以下の説明では，本発明を実施するためのべストモードと思われるものを単に示すことに
よって本発明の好ましい実施例のみが図示記載されている．了解されるように，本発明は
その他の異なる実施例も実現可能であり，その詳細も発明から逸脱せずに様々な自明の個
所において変形することができる．従って，図面の発明は本質的に例示的であり制限的な
ものとみなしてはならない．
【実施例】
【００１３】
図1は，本発明の好ましい実施例に従って構成された歩行能力の改善を
目的とした筋力トレーニング機器の外観を示している．
【００１４】
図２は，足部開閉板の下肢スライド機能及び下肢回転機能を示している
．これにより使用者は，従来例の脚伸展運動に加え，股関節の外転，内旋（外旋）運動が
可能となり，三次元上でのより歩行動作に近い下肢運動が可能となる． 
【００１５】
図３は足部開閉板の下肢スライド機能及び下肢回転機能を付加したシス
テムの図面を示す．      
【産業上の利用可能性】
【００１６】
本発明は既存する多くの筋力トレーニング機器（脚伸展機器等）に固定
することで使用することができる極めて汎用性の高いものである．従って，産業上の利用
可能性は極めて高い．
【符号の説明】
【００１７】
1  足部開閉板
2  足乗せ部分
3  足部開閉板
4  足乗せ部分
5  足部開閉板
6  バネ
7  エアシリンダ
8  リニアガイド
9  足乗せ部分
【図１】
2010240182.tif 000002
【図２】
2010240182.tif 000003
【図３】
2010240182.tif 000004
(57)【要約】【課題】フットサルで、空間を使ったプレーを楽しむための、フットサルコートを提供する。【解決手段】  真上からみると円形、断面図でみると半楕円形の、半楕円球面状に成形した強化プラスチックの外枠の内側に人工芝を貼り付け、互いに向かい合う両側に、円周部の一部をへこませて、マットを取り付けることによるゴールを設置する。また、コートの最も高い位置に、同心円状に平面部分を設け、第三者が立ち入れるスペースとし、外周部から螺旋階段を設けて、コート内外に出入りできるようにする。さらに、外周部から弓状のパイプを渡して天頂部とし、ネットを張ってボールが外に出るのを防ぐ。以上を特徴とするフットサルコートである。【選択図】図１
2010240459.tif 000002
【特許請求の範囲】
【請求項１】
省スペースでも立体的なフットサルのプレーを可能にする、半楕円球面状に成形した強化プラスチックの外枠の内側に人工芝を貼り付けた形状を特徴とするフットサルコート。
【発明の詳細な説明】
【技術分野】
【０００１】  この発明は、半楕円球面状に成形した強化プラスチックの内側に、人工芝を貼り付けたフットサルコートに関するものである。
【背景技術】
【０００２】  従来、少人数で行うサッカーであるフットサルは、平面上に設置されたコートでプレーされてきた。
【発明の開示】
【発明が解決しようとする課題】
【０００３】  そのために、つぎのような問題点があった。
（イ）サッカーコートと比べると、狭いスペースであるため、競技者が空間を使ったプレーを楽しむことが困難であった。
（ロ）公園、スポーツジム、建物の屋上等にコートが設置されてきたが、これには平面上、長方形のある程度のスペースが必要であった。
【課題を解決するための手段】
【０００４】（イ）真上からみると円形、断面図でみると半楕円形の、半楕円球面状に成形した強化プラスチックの外枠の内側に人工芝を貼り付け、互いに向かい合う両側に、円周部の一部をへこませたうえで、最奥部に人工芝と違う色のマットを取り付け、これをゴールとする。
（ロ）コートの最も高い位置に、同心円状に平面部分を設け、第三者が立ち入れるスペースとし、外周部から螺旋階段を設けて、コート内外に出入りできるようにする。
（ハ）外周部から弓状のパイプを渡して天頂部とし、ネットを張ってボールが外に出るのを防ぐ。
以上を特徴とするフットサルコートである。
【発明の効果】
【０００５】  競技者がコートの内側の空間を自在に使ったプレーを楽しむことができる。また、また、平面、長方形状の広いスペースが必要ないため、従来のフットサルコートより比較的簡易に設置できる。
【発明を実施するための最良の形態】
【０００６】以下、本発明の実施の形態について説明する。
（イ）真上からみると円形、断面図でみると半楕円形の、半楕円球面状に成形した強化プラスチックの外枠（１）の内側に人工芝とその下のクッションとなるマット（２）を貼り付け、直径上の互いに向かい合う両側に、円周部の一部をへこませたうえで、最奥部に人工芝と違う色のマット（３）を取り付け、これをゴールとする。
（ロ）コートの最も高い位置に、同心円状に平面部分（４）を設け、第三者が立ち入れるスペースとし、外周部から螺旋階段（５）を設けて、コート内外に出入りできるようにする。
（ハ）外周部から弓状のパイプ（６）を渡して天頂部とし、ネット（７）を張ってボールが外に出るのを防ぐ。
本発明は以上のような構成で、これを使用するときは、半楕円球面上の最低点である中心点（８）からキックオフし、両チームのゴールキーパーを含めた各５名が、自チームのゴールを守りつつ、相手チームのゴールマットにボールを当てることを目的として、両チームの得点数を競う。半楕円球面上またはその鉛直上にボールがあるときは、コート内とみなしてインプレーとし、その外側にボールが出たときはアウトプレーとする。その他の規則は従来から行われてきたフットサルのルールに準拠する。
【図面の簡単な説明】
【０００７】
【図１】本発明の斜視図（ネットは省略）
【図２】本発明のＡ−Ａ断面図（弓状パイプ、ネットは省略）
【図３】本発明のＢ−Ｂ断面図（ネットは省略）
【図４】弓状パイプに張るネット（４枚）
【符号の説明】
【０００８】１  半楕円球面状強化プラスチック外枠
２  人工芝のマット
３  ゴールのマット
４  平面部分
５  階段
６  弓状パイプ
７  ネット
８  中心点（最低点）
【図１】
2010240459.tif 000003
【図２】
2010240459.tif 000004
【図３】
2010240459.tif 000005
【図４】
2010240459.tif 000006